(57)【要約】【課題】１取引の中で値引と割引の両方を同時に使用できるようにして、顧客への満足度を向上させるものである。【解決手段】売上商品の商品データを入力する商品データ入力手段と、前記商品データ入力手段で１取引として入力された全売上商品の売上金額を合計する売上金額合計手段と、前記１取引に対する値引額を入力する値引額入力手段と、  前記１取引に対する割引率を入力する割引率入力手段と、前記値引額入力手段で入力された値引額および前記割引率入力手段で入力された割引率のうち、どちらを優先させて計算するかを決定する値割引計算順序決定手段と、前記１取引に対する値引額および割引率が入力されると、前記値割引計算順序決定手段により決定された優先順位に基づき計算して減算し、値割引後の売上合計金額を算出する値割引後売上合計金額演算手段と、を備える。【選択図】図６
2013206240.tif 000002
【特許請求の範囲】
【請求項１】
売上商品の商品データを入力する商品データ入力手段と、
前記商品データ入力手段で１取引として入力された全売上商品の売上金額を合計する売上金額合計手段と、
前記１取引に対する値引額を入力する値引額入力手段と、
前記１取引に対する割引率を入力する割引率入力手段と
前記値引額入力手段で入力された値引額および前記割引率入力手段で入力された割引率のうち、どちらを優先させて計算するかを決定する値割引計算順序決定手段と、
前記１取引に対する値引額および割引率が入力されると、前記値割引計算順序決定手段により決定された優先順位に基づき計算して減算し、値割引後の売上合計金額を算出する値割引後売上合計金額演算手段と、
を備える商品販売データ処理装置。
【請求項２】
前記値割引計算順序決定手段は値引額計算を優先させることを特徴とする請求項１記載の商品販売データ処理装置。
【請求項３】
前記値割引計算順序決定手段は割引率計算を優先させることを特徴とする請求項１記載の商品販売データ処理装置。
【発明の詳細な説明】
【技術分野】
【０００１】
本発明の実施形態は商品販売データ処理装置に関する。
【背景技術】
【０００２】
従来、ＰＯＳ装置などの商品販売データ処理装置において、割引券等のサービス券を持参した顧客やサービスポイントが所定ポイント以上貯まった顧客に対し、取引の合計金額に対して値引または割引を行うものはあった。しかしながら、この種のものは、１取引の中で値引と割引の両方を同時に使用できるものではなく、何れか一方を選択して使用するものであり、顧客へのサービス面で満足できるものではなかった。
【先行技術文献】
【特許文献】
【０００３】
【特許文献１】特開平9-282559号公報
【発明の概要】
【発明が解決しようとする課題】
【０００４】
そこで、本発明が解決しようとする課題は、１取引の中で値引と割引の両方を同時に使用できるようにして、顧客への満足度を向上させるものである。
【課題を解決するための手段】
【０００５】
本発明の実施形態における商品販売データ処理システムは、売上商品の商品データを入力する商品データ入力手段と、前記商品データ入力手段で１取引として入力された全売上商品の売上金額を合計する売上金額合計手段と、前記１取引に対する値引額を入力する値引額入力手段と、前記１取引に対する割引率を入力する割引率入力手段と、前記値引額入力手段で入力された値引額および前記割引率入力手段で入力された割引率のうち、どちらを優先させて計算するかを決定する値割引計算順序決定手段と、前記１取引に対する値引額および割引率が入力されると、前記値割引計算順序決定手段により決定された優先順位に基づき計算して減算し、値割引後の売上合計金額を算出する値割引後売上合計金額演算手段と、を備える。
【図面の簡単な説明】
【０００６】
【図１】実施形態の商品販売データ処理装置の要部構成を示す模式図。
【図２】同装置において使用する商品ファイルのデータ構造を示す模式図。
【図３】同装置におけるＰＯＳ端末の外観斜視図。
【図４】同ＰＯＳ端末の要部構成を示すブロック図。
【図５】同ＰＯＳ端末のキーボードに配設される各種キーを示す模式図。
【図６】同ＰＯＳ端末における売上時の動作を示すフローチャート。
【図７】同ＰＯＳ端末から印字発行されるレシートの一例を示す模式図であり、（ａ）は値引優先の場合のレシートの模式図、（ｂ）は割引優先の場合のレシートの模式図。
【図８】同ＰＯＳ端末において使用される値引券および割引券の一例を示すものであり、（ａ）は値引券の模式図、（ｂ）は割引券の模式図。
【発明を実施するための形態】
【０００７】
以下、実施形態の商品販売データ処理装置を図面を参照して説明する。
【０００８】
図１は、実施形態の商品販売データ処理装置の要部構成を示す模式図である。図１に示すように、本装置１はＰＯＳ（Ｐｏｉｎｔ  Ｏｆ  Ｓａｌｅｓ）端末２とストアコンピュータ３とから構成されている。ＰＯＳ端末２とストアコンピュータ３とは、ＬＡＮ（Ｌｏｃａｌ  Ａｒｅａ  Ｎｅｔｗｏｒｋ）等の通信回線４によって双方向通信自在に接続されている。ストアコンピュータ３の記憶部には、商品ファイル５が記憶されている。
【０００９】
商品ファイル５には、図２に示すように、店で販売する各商品固有の商品コードにそれぞれ対応して、商品名、本体価格、税額、税込価格等の商品データが予め設定されている。
【００１０】
図３は、ＰＯＳ端末２の外観構成を示す斜視図である。このＰＯＳ端末２は、本体正面にキーボード１１、モードスイッチ１２およびオペレータ用表示器１３が設けられており、背面に客用表示器１４が設けられている。また、レシートを印刷するためのプリンタ１５が本体に内蔵されており、このプリンタ１５によって印刷されたレシートがレシート発行口１６から排出されるようになっている。さらに、商品データ入力手段としての各商品に付されている商品コード等のバーコードを光学的に読取るためのスキャナ１７が本体に接続されている。また、釣銭などを収容しておくためのドロワ１８が本体と一体的に形成されている。
【００１１】
図４は、ＰＯＳ端末２の要部構成を示すブロック図である。図４に示すように、ＰＯＳ端末２１には、制御部本体としてＣＰＵ（Ｃｅｎｔｒａｌ  Ｐｒｏｃｅｓｓｉｎｇ  Ｕｎｉｔ）２１が設けられている、このＣＰＵ２１は、売上金額合計手段、値割引計算順序決定手段、および値割引後売上合計金額演算手段としての機能も有する。
【００１２】
また、プログラム等の固定的データが予め格納されたＲＯＭ（Ｒｅａｄ  Ｏｎｌｙ  Ｍｅｍｏｒｙ）２２、可変的データを書換自在に記憶するための各種メモリエリアが形成されたＲＡＭ（Ｒａｎｄｏｍ  Ａｃｃｅｓｓ  Ｍｅｍｏｒｙ）２３、現在の日付、時刻を計時する時計部２４、通信回線３を介して接続された上位機種であるストアコンピュータ３との間のデータ通信を司る通信インターフェイス２５、モードスイッチ１２からのモード選択信号が入力されるとともにドロア１８への開放指令信号が出力されるＩ／Ｏポート２６、キーボード１１から操作キーに対応したキー信号を取り込むキーボードコントローラ２７、オペレータ用表示器１３に表示データに対応した画像を表示させる表示コントローラ２８、客用表示器１４に表示データに対応した画像を表示させる客側表示コントローラ２９、プリンタ１５の印字動作を制御するプリンタコントローラ３０、スキャナ１７で読取られたバーコードデータを取り込むスキャナコントローラ３１などが設けられている。
【００１３】
ＣＰＵ２１と、ＲＯＭ２２，ＲＡＭ２３，時計部２４，通信インターフェイス２５，Ｉ／Ｏポート２６および各種入出力機器のコントローラ２７〜３１とは、アドレスバス，データバス等のバスライン３２で接続されている。
【００１４】
図５は、ＰＯＳ端末２のキーボード１１に配設される各種キーを示す模式図である。キーボード１１には、図５に示すように、「０」〜「９」の置数キー４１の他、クリアキー４２，ＰＬＵ（Ｐｒｉｃｅ  Ｌｏｏｋ  Ｕｐ）キー４３，小計キー４４，預／現計キー４５，値引キー４６，割引キー４７，取消キー４８，値引優先キー５０，割引優先キー５１等の各種ファンクションキーが配設されている。ＰＬＵキー４３は、置数データが商品コードであることを指令するキーである。小計キー４４は、商品売買取引の合計金額出力を指令するキーである。預／現計キー４５は、商品売買取引の現金締めを宣言する締めキーである。
【００１５】
値引キー４６は、置数データが値引額であることを指令するキーであり、この値引キー４６と置数データを入力する置数キー４１とで値引額入力手段を構成する。割引キー４７は、置数データが割引率であることを指令するキーであり、この割引キー４７と置数データを入力する置数キー４１とで割引率入力手段を構成する。
【００１６】
値引優先キー５０は、１取引における値割引計算において、値引額の計算処理を優先して行うことを指令するキーである。割引優先キー５１は、１取引における値割引計算において、割引率の計算処理を優先して行うことを指令するキーである。
【００１７】
ＲＡＭ２３には、商品販売データ登録用のメモリエリアの他に、１取引分のレシート印字データを記憶するレシートバッファ等が形成されている。
【００１８】
次に、ＰＯＳ端末２が実行する値割引計算処理を含む売上時の動作について説明する。
【００１９】
図６は、ＰＯＳ端末２における売上時の動作を示すフローチャートである。図６に示すように、まず、ステップＳ１で顧客が持ち込んだ売上商品についてＰＯＳ端末２へ全ての商品販売データの登録処理を行う。この登録処理が完了すると、ステップＳ２でオペレータはキーボード１１の小計キー４４を押圧操作する。この小計キー４４が押圧操作されると、ＣＰＵ２１は、ステップＳ３で当該取引に係る全ての商品販売データの入力が完了したと判断し、売上商品の合計金額を算出する。
【００２０】
次に、ＣＰＵ２１は、ステップＳ４で当該取引において値引券および割引券の利用があるか否かを判断する。この判断は、値引券の金額および割引券の割引率がＰＯＳ端末２へ入力されたか否かにより判断される。具体的には、値引券の金額のＰＯＳ端末２への入力は、キーボード１１の置数キー４１により金額が入力され、値引キー４６を押圧操作することにより完了する。同様に、割引券の割引率のＰＯＳ端末２への入力も、キーボード１１の置数キー４１により割引率が入力され、割引キー４７を押圧操作することにより完了する。
【００２１】
そして、値引券および割引券の利用がある場合は（ステップＳ４のＹ）、ステップＳ５で値割引計算の順序を値引優先とするか、或いは割引優先とするかを選択する。値引優先は、ステップＳ６で値引優先キー５０を押圧操作することにより決定され、ステップＳ７で値引優先での値割引計算処理が行われ、値割引計算処理後の合計金額を算出する。そして、ステップＳ８でこの算出した合計金額を顧客に請求する請求金額として決定し、オペレータ用表示器１３および客用表示器１４にこの請求金額を表示する。
【００２２】
次に、オペレータは、顧客から請求金額に対する支払い代金を受け取り、ステップＳ９でその金額を預り金として、ＰＯＳ端末２へ例えばキーボード１１の置数キー４１により入力し、キーボード１１の預かりキーを押圧操作して登録する。そして、ステップＳ１０でオペレータがキーボード１１の預／現計キー４５押圧操作すると、ＣＰＵ２１は、当該取引における「締め」が宣言されたと判断し、釣銭の演算処理を実行する。ステップＳ１１でその釣銭金額をオペレータ用表示器１３および客用表示器１４に表示するとともに、ステップＳ１２でドロワ１８から釣銭を出金し、ステップＳ１３レシートを印字発行する。そして、オペレータはその釣銭とレシートを顧客に渡し、当該取引を終了する。
【００２３】
また、割引優先は、ステップＳ１４で割引優先キー５１を押圧操作することにより決定され、ステップＳ１５で割引優先での値割引計算処理が行われ、値割引計算処理後の合計金額を算出する。そして、ステップＳ１６でこの算出した合計金額を顧客に請求する請求金額として決定し、オペレータ用表示器１３および客用表示器１４にこの請求金額を表示する。そして、これ以降のステップＳ９から当該取引終了までの動作は前述の通りである。
【００２４】
なお、値引券および割引券の利用がない場合は（ステップＳ４のＮ）、ＣＰＵ２１は、ステップＳ３で算出した売上商品の合計金額を、ステップＳ１７で顧客に請求する請求金額として決定し、オペレータ用表示器１３および客用表示器１４にこの請求金額を表示する。そして、これ以降のステップＳ９から当該取引終了までの動作は前述の通りである。
【００２５】
次に、図７は、ＰＯＳ端末２から印字発行されるレシートの一例を示す模式図について説明する。
【００２６】
図７の（ａ）は値引優先の場合のレシート６０の模式図である。このレシート６０には、まず、商品Ａ〜商品Ｅまでの税込価格の明細と、その小計である合計金額（￥２，１００）が印字され、続いて値引券の値引額（￥３００）と割引券の割引率（１０％）が印字されている。次に値割引計算における値引優先の値引額（￥−３００）と値引後の小計（￥１，８００）が印字され、引き続き小計割引（１０％）の割引額（￥−１８０）と割引後の小計（￥１，６２０）が印字されている。そして、顧客からの支払い代金である現金（￥２，０００）とそのお釣り（￥３８０）が印字されている。顧客はこのレシート６０の印字内容から、値引優先の場合の値割引計算処理について容易に確認することができる。
【００２７】
図７の（ｂ）は割引優先の場合のレシート６１の模式図である。このレシート６１には、まず、商品Ａ〜商品Ｅまでの税込価格の明細と、その小計である合計金額（￥２，１００）が印字され、続いて割引券の割引率（１０％）と値引券の値引額（￥３００）が印字されている。次に値割引計算における割引優先（１０％）の割引額（￥−２１０）と割引後の小計（￥１，８９０）が印字され、引き続き小計値引の値引額（￥−３００）と値引後の小計（￥１，５９０）が印字されている。顧客はこのレシート６１の印字内容から、割引優先の場合の値割引計算処理について容易に確認することができる。
【００２８】
図８は、ＰＯＳ端末２において使用される値引券および割引券の一例を示すものである。
【００２９】
図８の（ａ）は値引券７０の模式図である。この値引券７０には、店のロゴマーク（○○○ストア）と、値引券、値引金額（３００円）、および会社名（○○○○○  株式会社）等が印字されている。
【００３０】
図８の（ｂ）は割引券７１の模式図である。この割引券７１には、店のロゴマーク（○○○ストア）と、割引券、割引率（１０％）、および会社名（○○○○○  株式会社）等が印字されている。
【００３１】
以上、説明したように、本実施形態の商品販売データ処理装置によれば、１取引の中で値引と割引の両方を同時に使用できるものであり、しかも、値引計算と割引計算の順序を必要に応じて入れ替えることができ、顧客への満足度を向上させることができる。
【００３２】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３３】
１              商品販売データ処理装置
２              ＰＯＳ端末
１７            スキャナ（商品データ入力手段）
２１            ＣＰＵ（売上金額合計手段、値割引計算順序決定手段、値割引後売上合計金額演算手段）
４１            置数キー（値引額入力手段、割引率入力手段）
４６            値引キー（値引額入力手段）
４７            割引キー（割引率入力手段）
【図１】
2013206240.tif 000003
【図２】
2013206240.tif 000004
【図３】
2013206240.tif 000005
【図４】
2013206240.tif 000006
【図５】
2013206240.tif 000007
【図６】
2013206240.tif 000008
【図７】
2013206240.tif 000009
【図８】
2013206240.tif 000010